(57)【要約】【課題】モニターの解像度や画面サイズによらずピーキング表示の視認性を向上させること。【解決手段】撮像素子に被写体像を結像するレンズの焦点調節の機能を有する撮像装置であって、前記撮像装置の出力映像を表示させる表示手段と、前記表示手段の出力映像と前記表示手段からのステータスを伝送できる伝送手段と、前記撮像素子で撮像された映像からエッジを抽出するエッジ抽出手段と、前記表示手段より前記伝送手段を通じて得たステータスから調整パラメータを算出する調整パラメータ算出手段と、前記調整パラメータ算出手段の算出結果から、前記エッジ抽出手段の出力表示の太さを調整する調整手段と、前記撮像装置の出力映像と前記調整手段が出力する調整済みの抽出結果とを合成する合成手段と、を有することを特徴とする。【選択図】図１
2019129472.tif 000002
【特許請求の範囲】
【請求項１】
撮像素子に被写体像を結像するレンズの焦点調節の機能を有する撮像装置であって、
前記撮像装置の出力映像を表示させる表示手段と、
前記表示手段の出力映像と前記表示手段からのステータスを伝送できる伝送手段と、
前記撮像素子で撮像された映像からエッジを抽出するエッジ抽出手段と、
前記表示手段より前記伝送手段を通じて得たステータスから調整パラメータを算出する調整パラメータ算出手段と、
前記調整パラメータ算出手段の算出結果から、前記エッジ抽出手段の出力表示の太さを調整する調整手段と、
前記撮像装置の出力映像と前記調整手段が出力する調整済みの抽出結果とを合成する合成手段と、
を有することを特徴とする撮像装置。
【請求項２】
前記表示手段からのステータスは、解像度、画面サイズであることを特徴とする請求項１に記載の撮像装置。
【請求項３】
前記調整手段が、前記エッジ抽出手段の出力を、複数段に遅延する遅延手段と、前記遅延手段の出力を合成する遅延合成手段と、を有し、前記遅延合成手段は、前記ドット密度算出手段の算出結果に応じて、前記遅延手段で遅延した出力数を調整し、出力表示の太さを調整することを特徴とする請求項１又は請求項２に記載の撮像装置。
【請求項４】
前記調整手段が、ＬＰＦ（Ｌｏｗ−ｐａｓｓ  ｆｉｌｔｅｒ）を有し、前記ドット密度算出手段の算出結果に応じて、前記ＬＰＦのパラメータを変更することで出力表示の太さを調整することを特徴とする請求項１又は請求項２に記載の撮像装置。
【請求項５】
前記装置は更に、前記撮像装置の出力映像を表示させる第二の表示手段と、前記ドット密度算出手段の算出結果に依存しない、前記エッジ抽出手段の出力表示の太さを調整する第二の調整手段と、前記撮像装置の出力映像と前記第二の調整手段が出力する調整済みの抽出結果とを合成する合成手段と、を有することを特徴とする請求項１乃至請求項４の何れか一項に記載の撮像装置。
【発明の詳細な説明】
【技術分野】
【０００１】
本発明は、撮像装置及びその制御方法に関し、特には撮像装置における合焦の程度の表示技術に関する。
【背景技術】
【０００２】
自動焦点検出（Ａｕｔｏ  Ｆｏｃｕｓ：以下、ＡＦ）技術の進歩に伴い、スチルカメラやビデオカメラのような撮像装置での焦点検出は主にＡＦが用いられている。しかし、マクロ撮影のようにフォーカスを厳密に合わせる必要がある場合や、意図的にぼけた映像を撮影する場合、ＡＦでは合焦しづらい条件下などにおいては、手動による焦点調節（Ｍａｎｕａｌ  Ｆｏｃｕｓ：以下、ＭＦ）での撮影が行われることも多い。特にＭＦ操作を行う場合、操作性や合焦精度はファインダ等表示手段の性能に大きく左右される。特にＭＦ操作を行う場合、操作性や合焦精度はモニターや電子ビューファインダ（ＥＶＦ）の解像度に大きく左右される。そこで、撮影者が合焦度合い（合焦状態）をよりわかりやすく把握できるよう、様々な補助表示が実現されている。例えば、撮影映像のうち、合焦しているエッジ部分の強調表示（ピーキング）などがある。
【０００３】
しかし、エッジ部分の強調表示であるが故に、比較的細く表示される場合が多く、撮像装置の該当回路で一律に生成されたピーキングをモニターに表示する場合、モニターの解像度次第では、更に細く表示されるため見にくくなる場合がある。
【０００４】
特許文献１には、撮像手段で撮像可能な解像度よりも低い解像度のモニターに表示した場合であっても、撮影中の画像に対してエッジ成分を一律に強調する手段が示されている。
【先行技術文献】
【特許文献】
【０００５】
【特許文献１】特開２０１５−２１６４６７号公報
【発明の概要】
【発明が解決しようとする課題】
【０００６】
しかしながら、撮像装置のモニターは、前記のように様々な解像度が存在する上、特に撮像装置の出力ポートに接続するモニターの場合、解像度や画面サイズは多種多様である。このため、ピーキング表示を一律に強調したのでは、視認性が改善できないモニターも存在するという課題があった。
【０００７】
本発明は、このような従来技術の課題に鑑みてなされたものであり、モニターの解像度や画面サイズによらずピーキング表示の視認性を向上させことを目的とする。
【課題を解決するための手段】
【０００８】
上記の目的を達成するために、本発明に係る撮像装置は、
撮像素子に被写体像を結像するレンズの焦点調節の機能を有する撮像装置であって、
前記撮像装置の出力映像を表示させる表示手段と、
前記表示手段の出力映像と前記表示手段からのステータスを伝送できる伝送手段と、
前記撮像素子で撮像された映像からエッジを抽出するエッジ抽出手段と、
前記表示手段より前記伝送手段を通じて得たステータスから調整パラメータを算出する調整パラメータ算出手段と、
前記調整パラメータ算出手段の算出結果から、前記エッジ抽出手段の出力表示の太さを調整する調整手段と、
前記撮像装置の出力映像と前記調整手段が出力する調整済みの抽出結果とを合成する合成手段と、
を有することを特徴とする。
【発明の効果】
【０００９】
本発明に係る撮像装置によれば、モニターの解像度や画面サイズによらずピーキング表示の視認性が向上する。
【図面の簡単な説明】
【００１０】
【図１】実施例１の撮像装置のブロック図
【図２】ピーキング生成部の構成図
【図３】ピーキング処理の概念図
【図４】表示太線化部詳細部
【図５】表示太線化概念図
【図６】実施例２の撮像装置のブロック図
【発明を実施するための形態】
【００１１】
以下に、本発明の好ましい実施の形態を、添付の図面に基づいて詳細に説明する。
【実施例１】
【００１２】
本発明の第１の実施形態に係る撮像装置の一例としての、マニュアルフォーカス機能を備えたカメラについて説明する。
【００１３】
図１に示すブロック図において、レンズ部１０１は、被写体像を撮像素子１０２の撮像面上に結像する光学系を構成し、ズーム機能、焦点調節機能及び、絞り調節機能を備える。撮像素子１０２は多数の光電変換素子が配列された構成を有し、レンズ部１０１によって結像された被写体光学像を画素単位の映像信号に変換する。撮像素子１０２は例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサや、ＣＣＤ（Ｃｈａｒｇｅｄ  Ｃｏｕｐｌｅｄ  Ｄｅｖｉｃｅ）イメージセンサであってよい。
【００１４】
撮像処理部１０３では、撮像素子１０２に起因する傷などの補正がなされた後、記録・表示する画像に画像処理される。
【００１５】
レンズ駆動部１０４は、レンズ部１０１の図示しないモータやアクチュエータなどを駆動し、ズーム倍率やフォーカス調整、露出調整を行う。手動でレンズ部１０１の焦点調節を行うマニュアルフォーカスモードが設定されている場合、撮影者による焦点調節操作を検出する。具体的には、図示しない焦点距離の調整用スイッチやレバー、またはレンズ部１０１の鏡筒外周に設けられたフォーカスリングの操作を検出する。そして、検出した操作に応じた焦点の移動方向と移動量に基づいて、レンズ駆動部１０４を制御し、レンズ部１０１の焦点距離を変更させる。
【００１６】
撮像処理部１０３により画像処理された画像データは、後述する遅延部１０５を介し、記録部１０６により、符号化処理がなされ、図示しない、例えばＳＤカード等、記録メディアに記録される。
【００１７】
画像合成部１１１は、撮像処理部１０３の出力データに、後述する表示太線化部１０８の出力データを重畳する。
【００１８】
リサイズ部１１２は、画像合成部１１１の出力データを、後述の表示部１１４のモニターの解像度に変換する。
【００１９】
伝送ケーブル１１３は、撮像装置から映像信号を伝送すると同時に、後述の表示部１１４の解像度、画面サイズ等、表示部１１４のステータスを伝送する。例えば、ＨＤＭＩ(登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルであり、撮像装置から映像信号と同時に、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を伝送する。ＥＤＩＤとは、ディスプレイなどのシンク機器が内蔵するその機器の情報や対応する能力などが記述された「機器固有の識別データ」であり、ＨＤＭＩにもこの機能が備わっている。
【００２０】
表示部１１４は表示手段であり、本実施例では、ＨＤＭＩケーブルを介して接続された外付けのモニターである。
【００２１】
ピーキング生成部１０７は、撮像処理部１０３の画像データからエッジ成分を抽出し、アシスト表示として出力する。ピーキング生成部１０７の詳細を図２、図３を用いて、具体的に説明する。
【００２２】
撮像処理部１０３により画像処理された画像データは、前記フォーカスリングの操作等により合焦するに従い、３０１のような急峻な輝度の変化が多くなる。
【００２３】
エッジ抽出部２０１は、撮像処理部１０３の画像データからエッジを抽出し、３０２のようなデータを出力する。
【００２４】
ＡＢＳ部２０２は、エッジ抽出部２０１にてエッジ抽出した際、負方向に振れたデータを正方向へ全波整流を行い、３０３のようなデータを出力する。
【００２５】
ＬＰＦ部は、全波整流後の波形３０３がＬＰＦ（低域通過フィルタ）を通過しエッジ成分データ３０４が生成される。
【００２６】
表示太線化部１０８は、ピーキング生成部１０７のエッジ成分データを太線化する。表示太線化部１０８の詳細を図４、５を用いて、具体的に説明する。
【００２７】
図４はピーキング生成部１０７の詳細ブロック図である。
【００２８】
４０１〜４０３は遅延回路であり、それぞれ２サイクルの遅延回路で構成されている。また、遅延回路４０１〜４０３はそれぞれ出力イネーブルを持ち、ドット密度抽出部１０９から制御する。遅延合成部４０４はこれらの出力を合成して出力する。ドット密度抽出部１０９は、表示部１１４からのステータス、具体的には水平解像度、画面水平サイズを受信し、ドット密度ｎ（＝水平解像度／画面水平サイズ）を算出する。このドット密度ｎの値に応じて、遅延回路４０１〜４０３の出力数を決定する。遅延回路４０１〜４０３の出力数を切り替える閾値は、操作部１１０によりユーザーが設定する。例えば、遅延回路４０１〜４０３の出力数を切り替える閾値ａ、ｂを、ａ＞ｎ、ａ＜ｎ＜ｂ、ｂ＜ｎと設定したとする。ドット密度ｎが小さい場合（ａ＞ｎ）、遅延回路４０１のみをイネーブルにする。このとき、図５（ａ）に示すように、表示太線化部１０８の入力信号が５０１である場合、遅延合成部４０４の出力は５０２のように太線化される。元画像の位置は出力５０２の中央にあることが望ましいため、ドット密度抽出部１０９から、遅延部１０４で１サイクル遅延し５０３になるように制御する。ドット密度ｎが大きい場合（ｂ＜ｎ）、遅延回路４０１〜４０３をイネーブルにする。このとき、図５（ｃ）に示すように、遅延合成部４０４の出力は５０６のように太線化される。元画像の位置は出力５０６の中央にあることが望ましいため、ドット密度抽出部１０９から、遅延部１０４で３サイクル遅延し５０７になるように制御する。
【００２９】
なお本実施例では、表示太線化を３段階として示したが、表示太線化の段階は、この限りではない。
【００３０】
また、表示太線化部１０８は、ＬＰＦ（Ｌｏｗ−ｐａｓｓ  ｆｉｌｔｅｒ）等の回路で、ＬＰＦのパラメータを変更することで出力表示の太さを調整してもよい。
【実施例２】
【００３１】
本実施形態のシステム図は第１の実施形態と一部同様であるため、同様の箇所は説明を省略する。図６を参照しながら説明する。
【００３２】
画像合成部６０２は、撮像処理部１０３の出力データに、後述の表示太線化部６０１の出力データを重畳する。
【００３３】
リサイズ部６０３は、画像合成部６０２の出力データを、後述の表示部６０４のモニターの解像度に変換する。
【００３４】
表示部６０４は表示手段であり、本実施例では、撮像装置内蔵のモニターや電子ビューファインダ（ＥＶＦ）である。
【００３５】
表示太線化部６０１は、ピーキング生成部１０７のエッジ成分データを太線化する。表示日６０４は撮像装置内蔵であるため、解像度や画面サイズは固定である。このため、実施例１で示した表示太線化部１０８のドット密度抽出部からの参照機能は必要ないため、ドット密度抽出部、操作部を省いている。
【符号の説明】
【００３６】
１０１  レンズ部、１０２  撮像素子、１０３  撮像処理部、
１０４  レンズ駆動部、１０５  遅延部、１０６  記録部、
１０７  ピーキング生成部、１０８  表示太線化部、１０９  ドット密度抽出部、
１１０  操作部、１１１  画像合成部、１１２  リサイズ部、
１１３  伝送ケーブル、１１４  表示部
【図１】
2019129472.tif 000003
【図２】
2019129472.tif 000004
【図３】
2019129472.tif 000005
【図４】
2019129472.tif 000006
【図５】
2019129472.tif 000007
【図６】
2019129472.tif 000008